(57)【要約】【課題】多くの時間と労力を要することなく被洗浄物を容易かつ簡便にセットすることができ、同一の装置であってもある程度形状の異なる被洗浄物を洗浄することができ、かつ、確実に被洗浄物を清浄化することのできる寝具洗浄装置を提供する。【解決手段】寝具洗浄装置において、水切り用の貫通孔の端部のうちの被洗浄物と対向する側の端部を面取り処理し、被洗浄物を保持するための被洗浄物保持手段を例えばポリアミド系の樹脂製網材で構成し、下側において長手方向両側に排水することができるように排水孔を設け、回転軸の内部から外部に洗浄水を噴射ノズルで排出するために排出気体を噴射する気体供給装置を設ける。【選択図】図１
2009268605.tif 000002
【特許請求の範囲】
【請求項１】
水切り用の貫通孔を有する被洗浄物用の収納部を具備する横向きの内筒と；
前記内筒の中心部を支持する回転軸と；
前記内筒を内部で回転可能に支持する横向きの外筒と；
前記収納部の横方向に設けられた、前記内筒の軸方向に連続して前記被洗浄物を長手方向から横方向に挿入できる前記被洗浄物用の挿入口と；
前記外筒の横方向に設けられた、前記外筒の軸方向に連続して前記被洗浄物を長手方向から横方向に挿入できる開閉口と；、
前記内筒内に設けられた、前記収納部に収納した前記被洗浄物を保持する被洗浄物保持手段と；
前記回転軸に設けられた、前記被洗浄物に向けて洗浄水を噴射する噴射ノズルと；
を具備する寝具洗浄装置であって、
前記貫通孔の端部のうちの前記被洗浄物と対向する側の端部が面取り処理されており、
前記被洗浄物保持手段が熱可塑性樹脂製網材で構成されており、
前記外筒の下側において前記外筒の長手方向両側に排水孔が設けられ、
前記噴射ノズルから前記回転軸内の洗浄水を排出するために排出気体を噴射する気体供給装置を具備すること、
を特徴とする寝具洗浄装置。
【請求項２】
前記被洗浄物保持手段が、前記収納部の前記回転軸側から、前記被洗浄物の厚みに応じて、前記被洗浄物の保持位置を調節できる構成を有すること、
を特徴とする請求項１記載の寝具洗浄装置。
【請求項３】
前記被洗浄物保持手段が、前記被洗浄物を、回転前は前記回転軸の中心より外側へ押し付け、所定の回転数以上において前記被洗浄物の押し付けを停止し、所定の回転数未満において前記被洗浄物を前記回転軸の中心より外側へ押し付けるように制御する制御装置を具備すること、
を特徴とする請求項１又は２記載の寝具洗浄装置。
【請求項４】
前記収納部内に収納され、前記内筒の内部から前記外筒の外部に引き出し可能に設けられた被洗浄物容器を具備すること、
を特徴とする請求項１〜３のうちのいずれかに記載の寝具洗浄装置。
【請求項５】
前記収納部を複数個有し、前記収納部の複数個が前記回転軸を中心にして放射状に配置されていること、
を特徴とする請求項１〜４のうちのいずれかに記載の寝具洗浄装置。
【発明の詳細な説明】
【技術分野】
【０００１】
本発明は、ふとんやマットレス等の寝具を洗浄する際にすすぎと脱水を行うことのできる寝具洗浄装置に関する。
【背景技術】
【０００２】
従来から、ふとんやマットレス等の広い長方形状の平面と所定の厚みを有する直方体形状寝具（以下、「被洗浄物」という。）を洗浄する方法として、被洗浄物を丸ごと水洗いする方法がある。その一例として、被洗浄物のシミや汚れを受け入れ検査し、様々な溶剤を使用してこのシミや汚れ等の染み抜きを行い、洗剤を吹き付けて中まで浸透させて前処理を行い、水を吹き付けて洗剤を洗い落として脱水する洗浄・脱水を行い、内部の水分を乾燥させ、熱風によって被洗浄物の復元・仕上げを行い、検査して出荷する方法がある。
【０００３】
この種の被洗浄物を機械的に行って洗浄する従来技術としては、例えば特許文献１記載の発明がある。この発明では、被洗浄物が洗剤を用いて洗浄され、すすぎ、脱水、乾燥及び殺菌が行われ、横型筒体の横方向から長手方向（軸方向）にマットレス等が収納され、この横型筒体は回転されながら中央から水を噴射して洗浄される。
【０００４】
また、他の従来技術として、特許文献２や特許文献３記載の発明があり、これらの発明においては、横型のマットレス保持器内にマットレスが保持され、マットレス保持器を洗浄タンク内が回転されることによってマットレスが洗浄される。その他、特許文献４記載の発明においては、マットレスが曲げることなく横型の収納部に収納されて洗浄される。
【特許文献１】特許第２５６０１１５号公報
【特許文献２】特公平７−６１３９３号公報
【特許文献３】特開平５−１１１５９２号公報
【特許文献４】特開平９−１０３５９２号公報
【発明の開示】
【発明が解決しようとする課題】
【０００５】
しかしながら、上記のような従来技術では、被洗浄物が直方体形状のマットレスの場合、書籍を立てたような状態で前記マットレスが横型の収納部内に挿入されるため、マットレスのセットが困難であるという問題がある。また、ふとんのように柔軟な被洗浄物の場合、先端部における収納状態を良くするように収納するのは難しい。収納状態が悪いと、被洗浄物にシワが生じたりして十分な洗浄ができなくなる。
【０００６】
また、上記収納部は、洗浄中の被洗浄物を安定して収納できるように規定された形状に形成されているため、同一の機械で洗浄できる被洗浄物の形状（特に、厚み）が所定のものに限られてしまい、同一の機械で様々な被洗浄物の洗浄を行うことができないという問題がある。そのため、多くの被洗浄物の形状に対応するには多くの機械が必要となり、多大な設備費用を要してしまう。
【０００７】
さらに、従来技術では、装置の構成上、構成部品と被洗浄物との接触によって被洗浄物に傷がついてしまったり、被洗浄物から出た汚れ等を含む洗浄水によって再び被洗浄物が汚れてしまったりするという問題がある。
【０００８】
そこで、本発明の目的は、多くの時間と労力を要することなく被洗浄物を容易かつ簡便にセットすることができ、同一の装置であってもある程度形状の異なる被洗浄物を洗浄することができ、かつ、確実に被洗浄物を清浄化することのできる寝具洗浄装置を提供することにある。
【課題を解決するための手段】
【０００９】
前記課題を解決するため、本発明は、
水切り用の貫通孔を有する被洗浄物用の収納部を具備する横向きの内筒と；
前記内筒の中心部を支持する回転軸と；
前記内筒を内部で回転可能に支持する横向きの外筒と；
前記収納部の横方向に設けられた、前記内筒の軸方向に連続して前記被洗浄物を長手方向から横方向に挿入できる前記被洗浄物用の挿入口と；
前記外筒の横方向に設けられた、前記外筒の軸方向に連続して前記被洗浄物を長手方向から横方向に挿入できる開閉口と；、
前記内筒内に設けられた、前記収納部に収納した前記被洗浄物を保持する被洗浄物保持手段と；
前記回転軸に設けられた、前記被洗浄物に向けて洗浄水を噴射する噴射ノズルと；
を具備する寝具洗浄装置であって、
前記貫通孔の端部のうちの前記被洗浄物と対向する側の端部が面取り処理されており、
前記被洗浄物保持手段がポリアミド系樹脂等の熱可塑性樹脂製網材で構成されており、
前記外筒の下側において前記外筒の長手方向両側に排水孔が設けられ、
前記噴射ノズルから前記回転軸内の洗浄水を排出するために排出気体を噴射する気体供給装置を具備すること、
を特徴とする寝具洗浄装置を提供する。
【００１０】
上記のような本発明の寝具洗浄装置によれば、前記貫通孔の端部のうちの前記被洗浄物と対向する側の端部が面取り処理され、前記被洗浄物保持手段がポリアミド系樹脂製網材で構成されていることから、金属部材のうちの尖った部分によって、マットレスやふとん等の被洗浄物に傷がつくことを確実に防止することができる。また、前記外筒の下側には長手方向両側に排水孔が設けられ、前記噴射ノズルから前記回転軸内の洗浄水を排出するために排出気体を噴射する気体供給装置を具備することから、金属部材同士の摺動等によって生じた金属粉末や、被洗浄物からの汚れ成分を含む被洗浄水によって、洗浄後の被洗浄物が汚れてしまうことを確実に防止することができる。
【００１１】
また、本発明の寝具洗浄装置においては、前記被洗浄物保持手段が、前記収納部の前記回転軸側から、前記被洗浄物の厚みに応じて、前記被洗浄物の保持位置を調節できる構成を有することが好ましい。このような構成によれば、様々な厚みの被洗浄物を安定して保持して洗浄することができ、特に、ふとんのように柔軟な被洗浄物でも安定させて保持して洗浄することができる。
【００１２】
また、本発明の寝具洗浄装置は、前記被洗浄物保持手段が、前記被洗浄物を、回転前は前記回転軸の中心より外側へ押し付け、所定の回転数以上において前記被洗浄物の押し付けを停止し、所定の回転数未満において前記被洗浄物を前記回転軸の中心より外側へ押し付けるように制御する制御装置を具備することが好ましい。このような構成によれば、所定の回転数以上において、被洗浄物に大きな押付け力を作用させることなく保持することができ、被洗浄物の損傷を抑制することができる。
【００１３】
また、本発明の寝具洗浄装置は、前記収納部内に収納され、前記内筒の内部から前記外筒の外部に引き出し可能に設けられた被洗浄物容器を具備することが好ましい。このような構成によれば、被洗浄物を被洗浄物容器内にセットする作業を寝具洗浄装置の外部で容易に行うことができ、被洗浄物の保持作業を容易に行うことができる。
【００１４】
さらに、本発明の寝具洗浄装置は、前記収納部を複数個有し、前記収納部の複数個が前記回転軸を中心にして放射状に配置されていることが好ましい。このような構成によれば、前記収容部の複数個が回転軸を中心としてバランス良く配置され、複数の被洗浄物を同時に洗浄することができ、被洗浄物の洗浄作業を効率良く行うことができる。
【発明の効果】
【００１５】
本発明によれば、多くの時間と労力を要することなく被洗浄物を容易かつ簡便にセットすることができ、同一の装置であってもある程度形状の異なる被洗浄物を洗浄することができ、かつ、確実に被洗浄物を清浄化することのできる寝具洗浄装置を提供することができる。
【発明を実施するための最良の形態】
【００１６】
以下、図面を参照しながら本発明の寝具洗浄装置の好適な実施の形態について説明するが、本発明はこれらのみに限定されるものではなく、特許請求の範囲に記載の発明の思想の範囲内において種々の設計変更が可能であり、かかる設計変更後の発明も当然に本発明に含まれるものである。なお、図面に示す寝具洗浄装置は技術的思想としての本発明を概念的に説明するためのものであり、各構成要素の寸法やそれらの比は実際のものとは異なる場合もある。また、以下では、同一又は相当部分には同一符号を付し、重複する説明は省略することもある。
【００１７】
図１は本発明の寝具洗浄装置の実施の形態１を示す一部透明斜視図であり、図２は実施の形態１の側面図である。また、図３は実施の形態１の正面図であり、図４は実施の形態１の平面図である。さらに、図５は実施の形態１における内筒を示す図であり、図５の（ａ）は平面図、（ｂ）はＡ−Ａ断面図、（ｃ）はＢ−Ｂ断面図、（ｃ）は水切り用貫通孔部分の断面図である。
【００１８】
図１に示すように、寝具洗浄装置Ｍ１は、装置本体の外郭を形成する横向きの外筒１と外筒１内で回転する横向きの内筒２とを含み、２つの筒体を有する二重構造を持つ。内筒２は、中央に設けられた回転軸３によって支持されており、回転軸３は、外筒１の両側面に設けられた軸受４によって支持されている。軸受４は、床面に設けられた架台５に支持されている。また、電動機６が架台５に設けられており、電動機６に設けられたプーリ６ａによって、ベルト７を介して、回転軸３に設けられたプーリ３ａが駆動される。
【００１９】
図１及び図２に示すように、外筒１は横向きの略円筒体であり、外筒１の内部では、外筒１の内部で回転可能な径を有する内筒２が、横向きで配置されている。そして、外筒１の正面側（図１における矢印Ｋ側）には開閉口８が設けられており、開閉口８からは、回転軸３の方向に略垂直な方向（図１における矢印Ｋの方向）に、直方体形状の被洗浄物Ｗを長手方向Ｌ部分から挿入することができる図３）。開閉口８は、被洗浄物Ｗを長手方向Ｌ部分から横向きに出し入れ可能な大きさを有し、シリンダ９によって開閉される開閉蓋１０が設けられている。
【００２０】
内筒２は横向きの方形筒体（横断面が矩形の筒体）であり、図１及び図２においては、上側及び下側に被洗浄物Ｗであるマットレスやふとんを広げた状態で収納できる被洗浄物用の箱状の収納部１１が形成されている。即ち、本実施の形態においては、２枚の被洗浄物Ｗを同時に洗浄できるように、回転軸３を挟んで対向するように２個の収納部１１が設けられており、回転軸３を中心にしてバランスするように配置されている。
【００２１】
図２に示すように、収納部１１は、停止した状態で下側に位置する際、外筒１の開閉口８から被洗浄物Ｗを挿入できるように横方向に並ぶ位置に設けられている。収納部１１には、外筒１の開閉口８に連なるような洗浄物用の挿入口１２が設けられている。挿入口１２も、内筒２の回転軸３の軸方向に連続して被洗浄物Ｗを長手方向Ｌ部分から矢印Ｋの方向に挿入できる大きさを有する。このような構成により、収納部１１内へ挿入する被洗浄物Ｗを作業者が目視で確認しながら容易に挿入することができる。しかも、挿入する被洗浄物Ｗの奥側まで目視で確認できるので、シワ等を生じさせることなく確実にセットすることができる。
【００２２】
図５に示すように、収納部１１においては、挿入口１２側の側面以外の他の３つの側面が、ほぼ全面に水切り用の貫通孔１３（図では見易さのために一部分のみ記載）を設けた多孔板で形成されており、これによって脱水時の水切りが効果的にできる。加えて、図５の（ｃ）に示すように、貫通孔１３の端部のうちの被洗浄物Ｗと対向して接する側の端部１３ａが面取り処理されているため、被洗浄物Ｗの表面等に傷がつくことを確実に防止することができる。
【００２３】
収納部１１は、図１に示すように、挿入口１２のみが開放可能に構成されており、挿入口１２には、シリンダ１４で開閉させられる挿入蓋１５が設けられている。本実施の形態においては、挿入蓋１５が、内筒２と外筒１との間隙程度の高さで、軸方向に連続して一体的に開放する大きさで形成されている。挿入蓋１５は、内筒２側に設けられたシリンダ１４によって開放可能又は閉鎖可能に構成されている。シリンダ１４は、外筒１側に設けてもよい。
【００２４】
なお、内筒２に設けられた２つの収納部１１は同じ構成を有しているため、かかる内筒２によれば、外筒１の開閉口８から下側に位置する一方の収納部１１に被洗浄物Ｗを挿入した後、内筒２を１８０°回転させて他方の収納部１１を下側にして被洗浄物Ｗを収納することができる。
【００２５】
２つの収納部１１間には、内筒２を支持して回転させる回転軸３が軸方向に貫通するスペースが設けられ、これら２つの収納部１１に収納された被洗浄物Ｗを、その厚みに応じて保持する被洗浄物保持手段たる被洗浄物押え部材１７を配置する中間フレーム１６が配置されている。中間フレーム１６は収納部１１を中間で連結する枠体であり、中間フレーム１６と２つの収納部１１とによって、横向き方形筒体形状の内筒２が形成されている。そして、中間フレーム１６から２つの収納部１１に向けて各々４本のシリンダ１８が設けられ、シリンダ１８に、被洗浄物Ｗの厚みに応じて厚み方向に保持位置を調節する被洗浄物押え部材１７が設けられている。
【００２６】
図６は、図１の寝具洗浄装置Ｍ１における被洗浄物押え手段１７を示す図面であり、（ａ）は平面図、（ｂ）は側面図である。図示するように、被洗浄物押え部材１７は、周囲と中間部長手方向とに枠材１７ａを有し、枠材１７ａの全面に網材１７ｂが設けられている。この網材１７ｂは、ナイロン等のポリアミド系の樹脂製の長尺状物（例えば、単繊維、ロープ、帯状物等）で構成されており、したがって、マットレスやふとん等の被洗浄物Ｗに傷がつくことを確実に防止することができる。強度及び洗浄水の効果的な噴霧という観点からは、間隔をおいて帯状物を織り合わせて作製された網材を用いるのが好ましい。
【００２７】
また、被洗浄物押え部材１７は、中間フレーム１６に設けられたシリンダ１８で枠材１７ａを移動させることにより、被洗浄物押え部材１７が中心の回転軸３側から収納部１１側へ突出又は後退するように構成されている。このような被洗浄物押え部材１７により、被洗浄物Ｗの厚みに応じて収納部１１における押え高さを調節することができる。
【００２８】
なお、外筒１の開閉口８に設けられた開閉蓋１０を開閉させるシリンダ９と、内筒２の挿入口１２に設けられた挿入蓋１５を開閉させるシリンダ１４と、を自動開閉させるよな制御装置が設けられていてもよい。この場合、収納部１１内に被洗浄物Ｗを収納して開始スイッチを押すことにより、内筒２の挿入口１２を閉鎖するとともに、外筒１の開閉口８を閉鎖した後、洗浄水（すすぎ水）を供給し、内筒２を回転させて脱水を行い、内筒２が停止したら開閉口８を開放するとともに挿入口１２を開放してもよい。これらの制御は図示しないコンピュータ等を用いた制御装置によって行うことができる。
【００２９】
図９は寝具洗浄装置Ｍ１における回転軸３の構成を説明するための図である。図示するように、内筒１を支持する回転軸３には、周囲に噴射ノズル２８が設けられている。この噴射ノズル２８は、収納部１１に収納された被洗浄物Ｗへ洗浄水を効果的に噴射できるように配置されており、図示しないが、洗浄水を排出するために排出気体を噴射する気体供給装置が設けられており、点線で示すように、洗浄水の噴射範囲２９が広範囲となるように構成されている。被洗浄物Ｗは回転軸３の周辺を回転するため、回転軸３から洗浄水を噴射すると、被洗浄物Ｗの全面にまんべんなく洗浄水を噴霧することができる。
【００３０】
この噴射ノズル２８による洗浄水の噴射方法としては、被洗浄物Ｗを収納部１１内へ挿入する間、挿入後、回転中に、噴射ノズル１９から水を噴射して、被洗浄物Ｗをすすぐようにすればよい。これにより、被洗浄物Ｗの挿入とすすぎ水噴射の同時作業や作業自動化を図って、効率的な洗浄作業を行うこともできる。その他、寝具洗浄装置Ｍ１の外部で被洗浄物Ｗに洗浄水を含ませてから、被洗浄物Ｗを収納部１１内へ挿入してもよい。また、噴射ノズル２８から洗剤の入った水を噴射してもよい。これによれば、寝具洗浄装置Ｍ１内で、洗剤の入った水による洗浄と水によるすすぎとその後の脱水を行うことができ、被洗浄物Ｗの洗浄作業を更に効率良く行うことができる。
【００３１】
以上のように構成された本実施の形態の寝具洗浄装置Ｍ１によれば、以下のようにして被洗浄物Ｗを容易に収納して洗浄することができる。即ち、まず、一方の収納部（第１の収納部）１１が下側に位置した状態で、外筒１の開閉蓋１０を開放し、内筒２の挿入蓋１５も開放する。そして、内筒２の収納部１１へ被洗浄物Ｗを挿入する。このとき、被洗浄物Ｗの収納状態を目視で確認しながら容易に挿入することができる。被洗浄物Ｗが収納部１１内に収まったら、内筒２の挿入蓋１５を閉め、被洗浄物押え部材１７により所定圧で押さえる。
【００３２】
その後、内筒２を１８０°回転させて、他方の収納部（第２の収納部）１１を下側に位置させ、この収納部１１の挿入蓋１５を開放し、収納部１１内へ２つ目の被洗浄物Ｗを挿入する。挿入が終われば、内筒２の挿入蓋１５を閉め、被洗浄物押え部材１７により所定圧で押え、外筒１の開閉蓋１０を閉める。
【００３３】
このようにして２つの収納部１１へ２つの被洗浄物Ｗを収納する作業を、被洗浄物Ｗを折り畳むことなく、作業者が目視で確認しながら被洗浄物Ｗを長手方向から横方向に挿入するようにできる。
【００３４】
そして、内筒２の中心に設けられた回転軸３を電動機６で回転させることにより、内筒２が外筒１内で回転し、回転軸３に設けられた噴射ノズル２８から洗浄水を、所定期間、被洗浄物Ｗに噴射する。その後、洗浄水の噴射を止めて回転させ、被洗浄物Ｗに含まれている水分を遠心力で除去する（遠心脱水）。この脱水時、被洗浄物Ｗは押え部材１７で押さえられており、収納部１１内で変形することなく脱水される。
【００３５】
脱水時における被洗浄物押え部材１７による被洗浄物Ｗの保持方法としては、内筒２の回転前は被洗浄物Ｗを回転中心より外側へ押し付け、十分な遠心力が働く回転数以上になるとその押し付けを止め、停止動作で回転数が落ちると再び被洗浄物Ｗを外側へ押し付けるように制御するようにすれば、被洗浄物Ｗを痛めることなく洗浄／すすぎ／脱水を行うことができる。
【００３６】
その後、所定時間脱水され、内筒２が停止される。この時、一方の収納部１１が下側に位置するように停止させる。内筒２が停止すると、外筒１の開閉蓋１０が開放し、内筒２の挿入蓋１５も開放する。そして、収納部１１から被洗浄物Ｗを横方向に取り出す。この取り出し時も、被洗浄物Ｗを長手方向Ｌ部分から容易に取り出すことができる。一方の被洗浄物Ｗを取り出した後、内筒２を１８０°回転させ、他方の被洗浄物Ｗも同様にして取り出す。
【００３７】
ここで、図８は、図１における寝具洗浄装置Ｍ１の外筒１の下側部分に設けられている排水孔とトレイ部分３０の構成を説明するための図である。外筒１の下側部分においては、長手方向両側に排水孔３０ａが設けられており、図２における矢印で示される内筒２の回転方向に向かって、被洗浄物Ｗから排出された洗浄水や余分な洗浄水等が、外筒１から排水孔トレイ部分３０に効果的に流れることになる。これによって、金属部材同士の摺動等によって生じた金属粉末や、被洗浄物からの汚れ成分を含む被洗浄水によって、洗浄後の被洗浄物が汚れてしまうことを確実に防止することができる。
【００３８】
以上、本発明の代表的な実施の形態について説明したが、上述した実施の形態は一実施の形態であり、本発明の要旨を損なわない範囲での種々の変更は可能である。本発明の寝具洗浄装置には、例えば特開２００１−３００４６０号公報及び特開２００３−２５１０９２号公報に記載された技術内容を採用することも可能であり、したがって、本明細書においてはこれら公報を引用する形で、これら公報に記載の技術内容を本発明に組み込む。
【産業上の利用可能性】
【００３９】
本発明の寝具洗浄装置によれば、多くの時間と労力を要することなく被洗浄物を容易かつ簡便にセットすることができ、同一の装置であってもある程度形状の異なる被洗浄物を洗浄することができ、かつ、確実に被洗浄物を清浄化することができる。したがって、本発明の寝具洗浄装置は、清潔感が求められるホテル等の宿泊施設、院内感染を防止することが必要な病院、宿泊施設や病院等から寝具の洗浄を依頼されるクリーニング屋等において好適に用いることが期待される。
【図面の簡単な説明】
【００４０】
【図１】本発明の寝具洗浄装置の一実施の形態の一部透明斜視図である。
【図２】図１に示す寝具洗浄装置の側面図である。
【図３】図１に示す寝具洗浄装置の正面図である。
【図４】図１に示す寝具洗浄装置の平面図である。
【図５】図１の寝具洗浄装置における内筒を示す図面であり、（ａ）は平面図、（ｂ）はＡ−Ａ断面図、（ｃ）はＢ−Ｂ断面図である。
【図６】図１の寝具洗浄装置における被洗浄物押え手段を示す図面であり、（ａ）は平面図、（ｂ）は側面図である。
【図７】図１の寝具洗浄装置における噴射ノズルを説明するための図である。
【図８】図１における寝具洗浄装置Ｍ１の外筒１の下側部分に設けられている排水孔とトレイ部分３０の構成を説明するための図である。
【符号の説明】
【００４１】
１・・・外筒、
２・・・内筒、
３・・・回転軸、
４・・・軸受、
５・・・架台、
６・・・電動機、
７・・・ベルト、
８・・・開閉口、
９・・・シリンダ、
１０・・・開閉蓋、
１１・・・収納部
１２・・・被洗浄物挿入口、
１３・・・貫通孔、
１４・・・シリンダ、
１５・・・挿入蓋、
１６・・・中間フレーム、
１７・・・押え部材、
１７ａ・・・枠材、
１７ｂ・・・網材、
１８・・・シリンダ、
２８・・・噴射ノズル、
Ｗ・・・被洗浄物、
Ｍ１・・・寝具洗浄装置。
【図１】
2009268605.tif 000003
【図２】
2009268605.tif 000004
【図３】
2009268605.tif 000005
【図４】
2009268605.tif 000006
【図５】
2009268605.tif 000007
【図６】
2009268605.tif 000008
【図７】
2009268605.tif 000009
【図８】
2009268605.tif 000010